(57)【要約】【課題】接続端子を、スライダの端子に対して確実に接続させることのできる回路付サスペンション基板、および、回路付サスペンション基板の製造方法を提供すること。【解決手段】  回路付サスペンション基板１は、金属支持基板８と、金属支持基板８の上に配置されるベース絶縁層９と、ベース絶縁層９の上に配置され、スライダ４と電気的に接続されるヘッド側端子５８を備える導体層１０とを備え、ベース絶縁層９は、厚み方向に投影したときに、少なくともヘッド側端子５８と重なる端子領域６２と、端子領域６２と重ならず、かつ、端子領域６２の周辺の周辺領域６３とを有し、端子領域６２の厚みは、周辺領域６３の厚みよりも厚い。【選択図】図３
2020061202.tif 000002
【特許請求の範囲】
【請求項１】
金属支持基板と、前記金属支持基板の厚み方向一方側に配置されるベース絶縁層と、前記ベース絶縁層の前記厚み方向一方側に配置され、スライダと電気的に接続される接続端子を備える導体層とを備える回路付サスペンション基板であり、
前記ベース絶縁層は、
前記厚み方向に投影したときに、少なくとも前記接続端子と重なる端子領域と、
前記端子領域と重ならず、かつ、前記端子領域の周辺の周辺領域と
を有し、
前記端子領域の厚みは、前記周辺領域の厚みよりも厚く、
前記ベース絶縁層は、
前記金属支持基板の前記厚み方向一方側に配置される第１ベース絶縁層と、
前記第１ベース絶縁層を被覆し、前記金属支持基板の前記厚み方向一方側に配置される第２ベース絶縁層と
を備え、
前記端子領域は、
前記第１ベース絶縁層からなり、前記金属支持基板の前記厚み方向一方側に配置される第１端子領域絶縁層と、
前記第２ベース絶縁層からなり、前記第１端子領域絶縁層の前記厚み方向一方側に配置される第２端子領域絶縁層と
を備え、
前記端子領域の厚みが、前記第１端子領域絶縁層と前記第２端子領域絶縁層との合計厚みであり、
前記周辺領域は、前記第２ベース絶縁層からなり、前記金属支持基板の前記厚み方向一方側に配置される第２周辺領域絶縁層を備え、
前記周辺領域の厚みが、前記第２周辺領域絶縁層の厚みであり、
前記回路付サスペンション基板は、前記スライダを支持する台座をさらに備え、
前記台座は、前記第１ベース絶縁層または前記第２ベース絶縁層を備え、
前記周辺領域が、前記台座を含まず、
前記導体層は、前記ベース絶縁層の全領域において、前記第１ベース絶縁層と前記第２ベース絶縁層との間に位置しないことを特徴とする、回路付サスペンション基板。
【請求項２】
金属支持基板と、前記金属支持基板の厚み方向一方側に配置されるベース絶縁層と、前記ベース絶縁層の前記厚み方向一方側に配置され、スライダと電気的に接続される接続端子を備える導体層とを備える回路付サスペンション基板であり、
前記ベース絶縁層は、
前記厚み方向に投影したときに、少なくとも前記接続端子と重なる端子領域と、
前記端子領域と重ならず、かつ、前記端子領域の周辺の周辺領域と
を有し、
前記端子領域の厚みは、前記周辺領域の厚みよりも厚く、
前記ベース絶縁層は、
前記金属支持基板の前記厚み方向一方側に配置される第１ベース絶縁層と、
前記第１ベース絶縁層の前記厚み方向一方側に配置される第２ベース絶縁層と、
を備え、
前記端子領域は、
前記第１ベース絶縁層からなり、前記金属支持基板の前記厚み方向一方側に配置される第１端子領域絶縁層と、
前記第２ベース絶縁層からなり、前記第１端子領域絶縁層の前記厚み方向一方側に配置される第２端子領域絶縁層と
を備え、
前記端子領域の厚みが、前記第１端子領域絶縁層と前記第２端子領域絶縁層との合計厚みであり、
前記周辺領域は、前記第１ベース絶縁層からなり、前記金属支持基板の前記厚み方向一方側に配置される第１周辺領域絶縁層を備え、
前記周辺領域の厚みが、前記第１周辺領域絶縁層の厚みであり、
前記回路付サスペンション基板は、前記スライダを支持する台座をさらに備え、
前記台座は、前記第１ベース絶縁層または前記第２ベース絶縁層を備え、
前記周辺領域が、前記台座を含まず、
前記導体層は、前記ベース絶縁層の全領域において、前記第１ベース絶縁層と前記第２ベース絶縁層との間に位置しないことを特徴とする、回路付サスペンション基板。
【発明の詳細な説明】
【技術分野】
【０００１】
本発明は、回路付サスペンション基板、詳しくは、ハードディスクドライブに用いられる回路付サスペンション基板、および、その製造方法に関する。
【背景技術】
【０００２】
従来、ハードディスクドライブには、磁気ヘッドを備えるスライダが搭載される回路付サスペンション基板が実装される。
【０００３】
このような回路付サスペンション基板では、ヘッド側端子を、スライダの磁気ヘッドの端子に対して、はんだボールによって電気的に接続している（例えば、特許文献１参照。
）。
【先行技術文献】
【特許文献】
【０００４】
【特許文献１】特開２０１２−０９９２０４号公報
【発明の概要】
【発明が解決しようとする課題】
【０００５】
しかるに、上記した特許文献１に記載の回路付サスペンション基板において、ヘッド側端子と磁気ヘッドの端子とは、厚み方向において離間しており、その程度が大きい場合には、はんだボールを溶融させたときに、ヘッド側端子と磁気ヘッドの端子との接触面積を確保することができず、接触不良を起こす場合がある。
【０００６】
本発明の目的は、接続端子を、スライダの端子に対して確実に接続させることのできる回路付サスペンション基板、および、回路付サスペンション基板の製造方法を提供することにある。
【課題を解決するための手段】
【０００７】
本発明［１］は、金属支持基板と、金属支持基板の厚み方向一方側に配置されるベース絶縁層と、ベース絶縁層の厚み方向一方側に配置され、スライダと電気的に接続される接続端子を備える導体層とを備え、ベース絶縁層は、厚み方向に投影したときに、少なくとも接続端子と重なる端子領域と、端子領域と重ならず、かつ、端子領域の周辺の周辺領域とを有し、端子領域の厚みは、周辺領域の厚みよりも厚い回路付サスペンション基板を含んでいる。
【０００８】
このような構成によれば、端子領域の厚みが、周辺領域の厚みよりも厚いので、厚み方向において、接続端子をスライダの端子に対して近接させることができる。
【０００９】
そのため、接続端子とスライダの端子とを確実に接続させることができる。
【００１０】
一方、周辺領域の厚みは、端子領域の厚みよりも薄いので、回路付サスペンション基板の軽量薄型化を図ることができる。
【００１１】
本発明［２］は、ベース絶縁層は、金属支持基板の厚み方向一方側に配置される第１ベース絶縁層と、第１ベース絶縁層を被覆し、金属支持基板の厚み方向一方側に配置される第２ベース絶縁層とを備え、端子領域は、第１ベース絶縁層からなり、金属支持基板の厚み方向一方側に配置される第１端子領域絶縁層と、第２ベース絶縁層からなり、第１端子領域絶縁層の厚み方向一方側に配置される第２端子領域絶縁層とを備え、周辺領域は、第２ベース絶縁層からなり、金属支持基板の厚み方向一方側に配置される第２周辺領域絶縁層を、少なくとも備える、上記［１］の回路付サスペンション基板を含んでいる。
【００１２】
このような構成によれば、周辺領域が、第２ベース絶縁層からなる第２周辺領域絶縁層を備えているのに対し、端子領域が、第１ベース絶縁層からなる第１端子領域絶縁層と、第２ベース絶縁層からなる第２端子領域絶縁層を備えている。
【００１３】
そのため、端子領域を、１層のベース絶縁層から形成する場合と比較して、端子領域の厚みを２層、すなわち、第１端子領域絶縁層および第２端子領域絶縁層から形成することで、周辺領域の厚みよりも容易に厚くすることができる。
【００１４】
その結果、接続端子をスライダの端子に対して近接させることができるので、接続端子とスライダの端子とを、より確実に接続させることができる。
【００１５】
本発明［３］は、接続端子を露出するように導体層を被覆し、ベース絶縁層の厚み方向一方側に配置されるカバー絶縁層と、スライダを支持する台座とをさらに備え、台座は、第１ベース絶縁層からなり、金属支持基板の厚み方向一方側に配置される第１ベース台座層と、第２ベース絶縁層からなり、第１ベース台座層の厚み方向一方側に配置される第２ベース台座層と、カバー絶縁層からなり、第２ベース台座層の厚み方向一方側に配置されるカバー台座層とを備える、上記［２］の回路付サスペンション基板を含んでいる。
【００１６】
このような構成によれば、第１ベース台座層が第１ベース絶縁層からなり、第２ベース台座層が第２ベース絶縁層からなり、カバー台座層がカバー絶縁層からなるので、スライダを支持するための部材を別途設けることなく、台座を形成することができる。
【００１７】
本発明［４］は、ベース絶縁層は、金属支持基板の厚み方向一方側に配置される第１ベース絶縁層と、第１ベース絶縁層の厚み方向一方側に配置される第２ベース絶縁層と、を備え、端子領域は、第１ベース絶縁層からなり、金属支持基板の厚み方向一方側に配置される第１端子領域絶縁層と、第２ベース絶縁層からなり、第１端子領域絶縁層の厚み方向一方側に配置される第２端子領域絶縁層とを備え、周辺領域は、第１ベース絶縁層からなり、金属支持基板の厚み方向一方側に配置される第１周辺領域絶縁層を、少なくとも備える、上記［１］の回路付サスペンション基板を含んでいる。
【００１８】
このような構成によれば、周辺領域が、第１ベース絶縁層からなる第１周辺領域絶縁層を備えているのに対し、端子領域が、第１ベース絶縁層からなる第１端子領域絶縁層と、第２ベース絶縁層からなる第２端子領域絶縁層を備えている。
【００１９】
そのため、端子領域を、１層のベース絶縁層から形成する場合と比較して、端子領域の厚みを２層、すなわち、第１端子領域絶縁層および第２端子領域絶縁層から形成することで、周辺領域の厚みよりも容易に厚くすることができる。
【００２０】
その結果、接続端子をスライダの端子に対して近接させることができるので接続端子とスライダの端子とを、より確実に接続させることができる。
【００２１】
本発明［５］は、接続端子を露出するように導体層を被覆し、ベース絶縁層の厚み方向一方側に配置されるカバー絶縁層と、スライダを支持する台座とをさらに備え、台座は、第１ベース絶縁層からなり、金属支持基板の厚み方向一方側に配置される第１ベース台座層と、第２ベース絶縁層からなり、第１ベース台座層の厚み方向一方側に配置される第２ベース台座層と、カバー絶縁層からなり、第２ベース台座層の厚み方向一方側に配置されるカバー台座層とを備える、上記［４］の回路付サスペンション基板を含んでいる。
【００２２】
このような構成によれば、第１ベース台座層が第１ベース絶縁層からなり、第２ベース台座層が第２ベース絶縁層からなり、カバー台座層がカバー絶縁層からなるので、スライダを支持するための部材を別途設けることなく、台座を形成することができる。
【００２３】
本発明［６］は、上記［３］に記載の回路付サスペンション基板の製造方法であって、金属支持基板を用意する工程、金属支持基板の厚み方向一方側に第１端子領域絶縁層と、金属支持基板の厚み方向一方側に第１ベース台座層とを、少なくとも配置するように、第１ベース絶縁層を形成する工程、第１端子領域絶縁層の厚み方向一方側に第２端子領域絶縁層と、金属支持基板の厚み方向一方側に第２周辺領域絶縁層と、第１ベース台座層の厚み方向一方側に第２ベース台座層とを配置するように、第２ベース絶縁層を形成する工程、ベース絶縁層の厚み方向一方側に、接続端子を備える導体層を形成する工程、および、第２ベース台座層の厚み方向一方側にカバー台座層を配置するように、接続端子を露出し、導体層を被覆するカバー絶縁層を形成する工程を備える回路付サスペンション基板の製造方法を含んでいる。
【００２４】
このような方法によれば、端子領域の厚みが、周辺領域の厚みよりも厚く、厚み方向において、接続端子をスライダの端子に対して近接させることのできる回路付サスペンション基板を製造することができる。
【００２５】
また、第２端子領域絶縁層および第２周辺領域絶縁層を形成する工程において、第２ベース台座層を同時に形成することができる。
【００２６】
そのため、接続端子をスライダの端子に確実に近接させることができながら、別途工程を増やすことなく、効率よく台座を形成することができる。
【００２７】
本発明［７］は、上記［５］に記載の回路付サスペンション基板の製造方法であって、金属支持基板を用意する工程、金属支持基板の厚み方向一方側に第１端子領域絶縁層と、金属支持基板の厚み方向一方側に第１周辺領域絶縁層と、金属支持基板の厚み方向一方側に第１ベース台座層とを配置するように、第１ベース絶縁層を形成する工程、第１端子領域絶縁層の厚み方向一方側に第２端子領域絶縁層と、第１ベース台座層の厚み方向一方側に第２ベース台座層とを、少なくとも配置するように、第２ベース絶縁層を形成する工程、ベース絶縁層の厚み方向一方側に、接続端子を備える導体層を形成する工程、および、第２ベース台座層の厚み方向一方側にカバー台座層を配置するように、接続端子を露出し、導体層を被覆するカバー絶縁層を形成する工程を備える回路付サスペンション基板の製造方法を含んでいる。
【００２８】
このような方法によれば、端子領域の厚みが、周辺領域の厚みよりも厚く、厚み方向において、接続端子をスライダの端子に対して近接させることのできる回路付サスペンション基板を製造することができる。
【００２９】
また、第１端子領域絶縁層および第１周辺領域絶縁層を形成する工程において、第１ベース台座層を同時に形成することができる。
【００３０】
そのため、接続端子をスライダの端子に確実に近接させることができながら、別途工程を増やすことなく、効率よく台座を形成することができる。
【発明の効果】
【００３１】
本発明の回路付サスペンション基板およびその製造方法によれば、接続端子を、スライダの端子に対して確実に接続させることができる。
【図面の簡単な説明】
【００３２】
【図１】図１は、本発明の回路付サスペンション基板の第１実施形態の平面図を示す。
【図２】図２は、図１に示す回路付サスペンション基板のジンバル部の平面図を示す。
【図３】図３Ａは、図２に示すジンバル部のＡ−Ａ線に沿う断面図を示す。図３Ｂは、図２に示すジンバル部のＢ−Ｂ線に沿う断面図を示す。
【図４】図４Ａ〜図４Ｃは、図３Ｂに示す回路付サスペンション基板の製造方法を説明するための工程図であって、図４Ａは、金属支持基板を用意する工程、図４Ｂは、第１ベース絶縁層を形成する工程、図４Ｃは、第２ベース絶縁層を形成する工程を示す。
【図５】図５Ｄ〜図５Ｆは、図４Ｃに引き続き、図３Ｂに示す回路付サスペンション基板の製造方法を説明するための工程図であって、図５Ｄは、導体層を形成する工程、図５Ｅは、カバー絶縁層を形成する工程、図５Ｆは、金属支持基板を外形加工する工程を示す。
【図６】図６Ｇ〜図６Ｉは、図５Ｆに引き続き、図３Ｂに示す回路付サスペンション基板の製造方法を説明するための工程図であって、図６Ｇは、第１ベース絶縁層を部分的に除去する工程、図６Ｈは、めっき層を形成する工程、図６Ｉは、スライダを実装する工程を示す。
【図７】図７Ａは、本発明の回路付サスペンション基板の第２実施形態の断面図であって、図３Ａに対応する断面図を示す。図７Ｂは、本発明の回路付サスペンション基板の第２実施形態の断面図であって、図３Ｂに対応する断面図を示す。
【発明を実施するための形態】
【００３３】
＜第１実施形態＞
図１に示す回路付サスペンション基板１は、磁気ヘッド３を搭載するスライダ４、および、ピエゾ素子５を実装し、外部基板６および電源７が接続されて、ハードディスクドライブ（図示せず）に搭載される。
【００３４】
なお、図１において、紙面左右方向は、先後方向（第１方向）であって、紙面左側が先側（第１方向一方側）、紙面右側が後側（第１方向他方側）である。また、紙面上下方向は、左右方向（幅方向、第２方向）であって、紙面上側が左側（幅方向一方側、第２方向一方側）、紙面下側が右側（幅方向他方側、第２方向他方側）である。また、紙面紙厚方向は、上下方向（厚み方向、第３方向）であって、紙面手前側が上側（厚み方向一方側、第３方向一方側）、紙面奥側が下側（厚み方向他方側、第３方向他方側）である。具体的には、各図の方向矢印に準拠する。
【００３５】
また、図１において、架橋部３６（後述）以外のベース絶縁層９（後述）、および、カバー絶縁層１１を省略している。また、図２においては、ベース絶縁層９（第１ベース絶縁層２６（後述）、第２ベース絶縁層２７（後述））を図示し、カバー絶縁層１１（後述）を省略している。
【００３６】
回路付サスペンション基板１は、図１に示すように、先後方向に延びる平帯形状に形成されている。回路付サスペンション基板１は、図３Ａおよび図３Ｂに示すように、金属支持基板８、金属支持基板８の上に形成されるベース絶縁層９、ベース絶縁層９の上に形成される導体層１０、ベース絶縁層９の上に導体層１０を被覆するように形成されるカバー絶縁層１１、および、導体層１０の後述する複数の端子（外部側端子５７、ヘッド側端子５８、ピエゾ側端子５９）の表面を被覆するめっき層１２を備えている。
【００３７】
金属支持基板８は、図１に示すように、先後方向に延びる平帯形状に形成されており、本体部１３と、本体部１３の先側に形成されるジンバル部１４とを一体的に備えている。
【００３８】
本体部１３は、先後方向に延びる平面視略矩形状に形成されている。本体部１３は、回路付サスペンション基板１がハードディスクドライブに搭載されるときに、ハードディスクドライブのロードビーム（図示せず）に支持される。
【００３９】
ジンバル部１４は、図２に示すように、本体部１３の先端から先側に延びるように形成されている。
【００４０】
ジンバル部１４は、１対のアウトリガー部１７と、搭載部１８と、１対の連結部１９とを備えている。
【００４１】
アウトリガー部１７は、平面視細長矩形状をなし、本体部１３の幅方向両端部から先側に向かって直線状に延びるように１対として形成されている。
【００４２】
搭載部１８は、１対のアウトリガー部１７に対して幅方向内側に間隔を隔て、かつ、本体部１３の先端縁に対して、先後方向に間隔を隔てるように配置されている。搭載部１８は、幅方向両側に向かって開く平面視略Ｈ字状に形成されている。すなわち、搭載部１８は、先後方向中央部の幅方向両端部が切り欠かれ（開口され）ている。具体的には、搭載部１８は、基部２１と、ステージ２２と、中央部２３とを一体的に備えている。
【００４３】
基部２１は、搭載部１８の後端部に配置されており、幅方向に長く延びる平面視略矩形状に形成されている。
【００４４】
ステージ２２は、基部２１の先側に間隔を隔てて配置され、幅方向に長く延びる平面視略矩形状に形成されている。また、ステージ２２は、ステージ開口部２５を備えている。
【００４５】
ステージ開口部２５は、図２および図３Ａに示すように、ステージ２２を厚み方向に平面視略矩形状に貫通するように形成されている。
【００４６】
中央部２３は、図２に示すように、基部２１およびステージ２２の幅方向中央を接続し、先後方向に延びる平面視細長矩形状に形成されている。中央部２３は、幅方向に湾曲可能な幅狭に形成されている。
【００４７】
なお、搭載部１８において、切り欠かれた部分は、１対の連通空間２４として区画されている。１対の連通空間２４は、中央部２３の幅方向両側に区画されており、金属支持基板８を厚み方向に貫通するように形成されている。
【００４８】
１対の連結部１９のそれぞれは、１対のアウトリガー部１７のそれぞれの先端部から、基部２１の幅方向両端部に連結されるように、幅方向内側斜め後方に延びている。これにより、１対の連結部１９は、１対のアウトリガー部１７と搭載部１８とを連結している。
また、これによって、１対の連結部１９と１対のアウトリガー部１７との間、および、搭載部１８と本体部１３との間に、平面視において先側に向かって開く略Ｕ字状の基板開口部１６が開口されている。
【００４９】
金属支持基板８は、例えば、ステンレス、４２アロイ、アルミニウム、銅−ベリリウム、りん青銅などの金属材料から形成されている。好ましくは、ステンレスから形成されている。
【００５０】
金属支持基板８の厚みは、例えば、５μｍ以上、好ましくは、１０μｍ以上であり、例えば、３０μｍ以下、好ましくは、２５μｍ以下である。
【００５１】
ベース絶縁層９は、金属支持基板８の上面に、導体層１０に対応するパターンに形成されている。ベース絶縁層９は、第１ベース絶縁層２６と、第２ベース絶縁層２７とを備えている。
【００５２】
第１ベース絶縁層２６は、金属支持基板８の上面に配置されている。第１ベース絶縁層２６は、第１端子領域絶縁層２８と、第１ベース台座層の一例としての１対の第１先側ベース層２９と、第１ベース台座層の一例としての１対の第１後側ベース層３０とを備えている。
【００５３】
第１端子領域絶縁層２８は、ステージ２２におけるステージ開口部２５の先側に形成されている。第１端子領域絶縁層２８は、ステージ開口部２５の幅方向両端部よりも幅方向外側まで延びる平面視略矩形状に形成されている。図２および図３Ａに示すように、第１端子領域絶縁層２８の後端縁は、ステージ開口部２５の前端縁と一致している。
【００５４】
１対の第１先側ベース層２９のそれぞれは、１対の連通空間２４とステージ開口部２５との間において、ステージ２２の上に配置されている。第１先側ベース層２９は、平面視略矩形状に形成されている。１対の第１先側ベース層２９は、幅方向において、互いに間隔を隔てて配置されている。
【００５５】
１対の第１後側ベース層３０のそれぞれは、図２および図３Ｂに示すように、中央部２３の上に配置されている。第１後側ベース層３０は、平面視略矩形状に形成されている。
１対の第１後側ベース層３０は、先後方向において、互いに間隔を隔てて配置されている。
【００５６】
第１ベース絶縁層２６は、例えば、ポリイミド樹脂、ポリアミドイミド樹脂、アクリル樹脂、ポリエーテルニトリル樹脂、ポリエーテルスルホン樹脂、ポリエチレンテレフタレート樹脂、ポリエチレンナフタレート樹脂、ポリ塩化ビニル樹脂などの合成樹脂などの絶縁材料から形成されている。好ましくは、ポリイミド樹脂から形成されている。
【００５７】
第１ベース絶縁層２６の厚みは、具体的には、１μｍ以上、好ましくは、３μｍ以上であり、例えば、３０μｍ以下、好ましくは、１５μｍ以下である。
【００５８】
第２ベース絶縁層２７は、金属支持基板８の上に、第１ベース絶縁層２６を被覆するように配置されている。第２ベース絶縁層２７は、本体部１３に対応する本体部絶縁層３１と、ジンバル部１４に対応するジンバル部絶縁層３２とを備えている。
【００５９】
本体部絶縁層３１は、図１に示す本体部１３における導体層１０（具体的には、後述する外部側端子５７、および、配線６０）に対応するように形成されている。
【００６０】
ジンバル部絶縁層３２は、図２に示すように、基板開口部１６に対応する基板開口部絶縁層３４と、搭載部１８に対応する搭載部絶縁層３５と、架橋部３６とを備えている。
【００６１】
基板開口部絶縁層３４は、基板開口部１６を先後方向に跨ぐように形成されている。具体的には、基板開口部絶縁層３４は、本体部絶縁層３１の幅方向両端部の先端から連続して基板開口部１６を通過するように先側に向かって延びており、基板開口部１６の後側において幅方向両側に分岐され、基部２１よりも後側で合一となり、基部２１の先後方向途中まで延びる平面視略Ｙ字状に形成されている。
【００６２】
搭載部絶縁層３５は、搭載部１８に対応して、平面視略Ｈ字状に形成されている。具体的には、搭載部絶縁層３５は、基部絶縁層３８と、ステージ絶縁層３９と、中央部絶縁層４０とを備えている。
【００６３】
基部絶縁層３８は、搭載部１８の基部２１における導体層１０に対応して形成されている。基部絶縁層３８は、搭載部１８の基部２１の先側において、基板開口部絶縁層３４から連続して、幅方向両外側に延びる平面視略矩形状に形成されている。また、基部絶縁層３８は、基部２１の先端縁よりも先方まで延びるように形成されている。基部絶縁層３８において、搭載部１８の中央部２３を跨いで連通空間２４から露出される部分が、１対の後ピエゾ側端子形成部４３として区画されている。
【００６４】
ステージ絶縁層３９は、搭載部１８のステージ２２における導体層１０に対応して形成されている。ステージ絶縁層３９は、基部絶縁層３８の先側に間隔を隔てて配置され、搭載部１８のステージ２２の先側から、ステージ２２の後端縁よりも後方まで延びる平面視略矩形状に形成されている。ステージ絶縁層３９において、搭載部１８の中央部２３を跨いで連通空間２４から露出される部分が、１対の前ピエゾ側端子形成部４４として区画されている。また、ステージ絶縁層３９において、厚み方向に投影したときに、第１端子領域絶縁層２８と重なる部分が、第２端子領域絶縁層５４として区画され、第２端子領域絶縁層５４以外の部分が、第２周辺領域絶縁層５５として区画されている。また、ステージ絶縁層３９において、厚み方向に投影したときに、１対の第１先側ベース層２９のそれぞれと重なる部分が、第２ベース台座層の一例としての１対の第２先側ベース層５０として区画されている。つまり、第２先側ベース層５０は、幅方向において、互いに間隔を隔てて配置されている。また、ステージ絶縁層３９は、ステージ開口部２５に対応する接続端子開口部４５と、複数（２つ）の接地開口部４６とを備えている。
【００６５】
接続端子開口部４５は、図２および図３Ａに示すように、ステージ絶縁層３９を厚み方向に略矩形に貫通するように形成されている。接続端子開口部４５の幅方向両端縁、および、後端縁は、厚み方向に投影したときに、ステージ開口部２５の幅方向両端縁、および、後端縁と一致している。接続端子開口部４５の先端縁は、ステージ開口部２５の先端縁よりも後方に位置している。
【００６６】
接地開口部４６は、厚み方向に投影したときに、搭載部１８のステージ２２の後端部と重なる部分において、ステージ絶縁層３９を厚み方向に貫通するように形成されている。
【００６７】
中央部絶縁層４０は、図２に示すように、搭載部１８の中央部２３における導体層１０に対応して形成されている。中央部絶縁層４０は、基部絶縁層３８およびステージ絶縁層３９の幅方向中央を接続し、先後方向に延びる平面視細長矩形状に形成されている。なお、中央部絶縁層４０は、中央部２３よりも幅狭であり、幅方向に湾曲可能に形成されている。また、中央部絶縁層４０において、厚み方向に投影したときに、１対の第１後側ベース層３０のそれぞれと重なる部分が、第２ベース台座層の一例としての１対の第２後側ベース層５１として区画されている。つまり、第２後側ベース層５１は、先後方向において、互いに間隔を隔てて配置されている。
【００６８】
なお、１対の後ピエゾ側端子形成部４３と、１対の前ピエゾ側端子形成部４４とを併せて、ピエゾ側端子形成部４７とする。
【００６９】
ピエゾ側端子形成部４７は、図２および図３Ａに示すように、端子開口部４９を備えている。
【００７０】
端子開口部４９は、基部絶縁層３８の１対の後ピエゾ側端子形成部４３のそれぞれ、および、ステージ絶縁層３９の１対の前ピエゾ側端子形成部４４のそれぞれに、１つずつ形成されている。端子開口部４９は、後ピエゾ側端子形成部４３、および、前ピエゾ側端子形成部４４を厚み方向に略矩形に貫通するように形成されている。
【００７１】
架橋部３６は、図２に示すように、１対のアウトリガー部１７の先端と、ステージ２２の幅方向両端とを湾曲状に連結する１対の湾曲部５２と、１対のアウトリガー部１７の先端およびステージ２２の先端を連結するＥ字部５３とを備えている。
【００７２】
湾曲部５２は、アウトリガー部１７の先端から幅方向内側斜め先側に向かって湾曲状に延び、ステージ２２の幅方向両端に至っている。
【００７３】
Ｅ字部５３は、平面視略Ｅ字状をなし、具体的には、両アウトリガー部１７の先端から先側に向かって延び、その後、幅方向内側に屈曲し、幅方向内側に延びて合一となった後、後側に屈曲して、ステージ２２の先端の幅方向中央に至っている。
【００７４】
第２ベース絶縁層２７は、第１ベース絶縁層２６を形成する絶縁材料と同一の絶縁材料から形成されている。
【００７５】
第２ベース絶縁層２７の厚みは、第１ベース絶縁層２６の厚み１００％に対して、例えば、２０％以上、好ましくは、４０％以上であり、例えば、５００％以下、好ましくは、３００％以下である。第２ベース絶縁層２７の厚みは、具体的には、例えば、１μｍ以上、好ましくは、３μｍ以上であり、例えば、３０μｍ以下、好ましくは、１５μｍ以下である。
【００７６】
なお、ベース絶縁層９において、第１端子領域絶縁層２８および第２端子領域絶縁層５４が形成される領域が、端子領域６２として区画され、厚み方向に投影したときに、端子領域６２と重ならない領域であり、ベース絶縁層９における端子領域６２以外のすべての領域（第２周辺領域絶縁層５５が形成される領域）が、周辺領域６３として区画されている。
【００７７】
導体層１０は、図１に示すように、外部側端子５７と、接続端子の一例としてのヘッド側端子５８と、ピエゾ側端子５９と、配線６０とを備えている。
【００７８】
外部側端子５７は、本体部１３に対応する本体部絶縁層３１の後端部に複数（６つ）配置されている。外部側端子５７は、信号端子５７Ａと、電源端子５７Ｂとを備えている。
【００７９】
信号端子５７Ａは、外部側端子５７の複数（６つ）の内、後方に配置される４つであり、幅方向に互いに間隔を隔てて配置されている。信号端子５７Ａは、外部基板６と電気的に接続される。
【００８０】
電源端子５７Ｂは、外部側端子５７の複数（６つ）の内、前方に配置される２つであり、幅方向に互いに間隔を隔てて配置されている。電源端子５７Ｂは、電源７と電気的に接続される。
【００８１】
ヘッド側端子５８は、図２に示すように、ステージ２２に対応するステージ絶縁層３９の先端部の上面に設けられ、幅方向に互いに間隔を隔てて複数（４つ）配置されている。
ヘッド側端子５８は、図３Ａおよび図３Ｂに示すように、ステージ開口部２５の先端縁と、接続端子開口部４５の先端縁とを跨ぐように先後方向に延びている。ヘッド側端子５８は、後述するヘッド接合材６６を介して、磁気ヘッド３と電気的に接続される。ヘッド側端子５８は、先側部５８Ａと、中央部５８Ｂと、後側部５８Ｃとを備えている。
【００８２】
先側部５８Ａは、ヘッド側端子５８におけるステージ開口部２５の先端縁よりも先側部分である。先側部５８Ａは、厚み方向に投影したときに、金属支持基板８、第１ベース絶縁層２６の第１端子領域絶縁層２８、および、第２ベース絶縁層２７と重なっている。つまり、先側部５８Ａは、厚み方向に投影したときに、端子領域６２と重なっている。言い換えると、端子領域６２は、厚み方向に投影したときに、先側部５８Ａと重なっている。
先側部５８Ａは、ヘッド側端子５８を支持している。
【００８３】
中央部５８Ｂは、ヘッド側端子５８におけるステージ開口部２５の先端縁と、接続端子開口部４５の先端縁との間の部分である。中央部５８Ｂは、先側部５８Ａの後端部から連続して延びている。中央部５８Ｂは、厚み方向に投影したときに、第２ベース絶縁層２７と重なっている。中央部５８Ｂは、ステージ開口部２５内に配置されるが、第２ベース絶縁層２７により支持されている。
【００８４】
後側部５８Ｃは、ヘッド側端子５８における接続端子開口部４５の先端縁よりも後側部分である。後側部５８Ｃは、中央部５８Ｂの後端部から連続して、下方に屈曲した後、後方に延びている。これにより、後側部５８Ｃの上面と、中央部５８Ｂの上面とは段差を形成している。また、後側部５８Ｃの下面は、ステージ開口部２５内に位置する第２ベース絶縁層２７の下面と面一である。後側部５８Ｃは、ステージ開口部２５内に配置され、より磁気ヘッド３の近傍に位置することができる。
【００８５】
ピエゾ側端子５９は、連通空間２４におけるベース絶縁層９のピエゾ側端子形成部４７に、複数（４つ）配置されている。具体的には、ピエゾ側端子５９は、基部絶縁層３８の１対の後ピエゾ側端子形成部４３のそれぞれの端子開口部４９、および、ステージ絶縁層３９の１対の前ピエゾ側端子形成部４４のそれぞれの端子開口部４９に落ち込み、充填されている。なお、図２および図３Ａに示すように、ピエゾ側端子５９において、１対の後ピエゾ側端子形成部４３のそれぞれの端子開口部４９に充填されるピエゾ側端子５９を後ピエゾ側端子５９Ａとし、１対の前ピエゾ側端子形成部４４のそれぞれの端子開口部４９に充填されるピエゾ側端子５９を前ピエゾ側端子５９Ｂとする。ピエゾ側端子５９は、後述するピエゾ接合材６８を介して、ピエゾ素子５と電気的に接続される。
【００８６】
配線６０は、図１に示すように、本体部１３に対応する本体部絶縁層３１（図２参照）、および、ジンバル部１４に対応するジンバル部絶縁層３２（図２参照）において、幅方向に互いに間隔を隔てて複数（６つ）形成されている。配線６０は、信号配線６０Ａと、電源配線６０Ｂとを備えている。
【００８７】
信号配線６０Ａは、複数（６つ）の配線６０の内の幅方向内側の４つであり、信号端子５７Ａと、ヘッド側端子５８とに電気的に接続されている。信号配線６０Ａは、磁気ヘッド３（図３Ａおよび図３Ｂ参照）、および、外部基板６間に電気信号を伝達する。
【００８８】
具体的には、信号配線６０Ａは、本体部１３に対応する本体部絶縁層３１（図２参照）の後端部において、信号端子５７Ａから先側に向かって延びた後、図２に示すように、基板開口部絶縁層３４、および、搭載部絶縁層３５の上を順次通過して、ヘッド側端子５８に至るように形成されている。
【００８９】
なお、信号配線６０Ａは、搭載部絶縁層３５の中央部絶縁層４０において、厚み方向に投影したときに、第１ベース絶縁層２６の１対の第１後側ベース層３０と重なっている。
また、信号配線６０Ａは、搭載部絶縁層３５のステージ絶縁層３９において、厚み方向に投影したときに、第１先側ベース層２９、および、第１端子領域絶縁層２８と重なっている。
【００９０】
電源配線６０Ｂは、図１に示すように、複数（６つ）の配線６０の内、信号配線６０Ａよりも幅方向両外側の２つであり、電源端子５７Ｂと、後ピエゾ側端子５９Ａとに電気的に接続されている。電源配線６０Ｂは、ピエゾ素子５に、電源７から電力を供給する。
【００９１】
具体的には、電源配線６０Ｂは、本体部１３に対応する本体部絶縁層３１（図２参照）の後端部において、電源端子５７Ｂから先側に向かって延びた後、図２に示すように、基板開口部絶縁層３４、および、搭載部絶縁層３５を順次通過して、後ピエゾ側端子５９Ａに至るように形成されている。
【００９２】
また、配線６０は、ジンバル部１４に対応するジンバル部絶縁層３２において、幅方向に互いに間隔を隔てて複数（２つ）形成されるグランド配線６０Ｃを備えている。
【００９３】
グランド配線６０Ｃは、前ピエゾ側端子５９Ｂを接地するために設けられている。具体的には、グランド配線６０Ｃは、図２および図３Ａに示すように、前ピエゾ側端子５９Ｂから先側に向かって延び、信号配線６０Ａの後側において、接地開口部４６に落ち込み、充填されるように下側に屈曲し、金属支持基板８と接触している。
【００９４】
導体層１０は、例えば、銅、ニッケル、金、はんだ、または、これらの合金などの導体材料から形成されている。好ましくは、銅から形成されている。
【００９５】
導体層１０の厚みは、ベース絶縁層９の厚み（第１ベース絶縁層２６の厚みと第２ベース絶縁層２７の厚みとの総和）１００％に対して、１０％以上、好ましくは、３０％以上であり、例えば、２００％以下、好ましくは、１００％以下である。導体層１０の厚みは、具体的には、例えば、３μｍ以上、好ましくは、５μｍ以上であり、例えば、５０μｍ以下、好ましくは、２０μｍ以下である。
【００９６】
カバー絶縁層１１は、図１が参照されるように、本体部１３およびジンバル部１４にわたって形成され、図３Ａおよび図３Ｂに示すように、ベース絶縁層９の上に配置され、平面視において導体層１０を含むパターンに形成されている。
【００９７】
具体的には、カバー絶縁層１１は、配線６０の上面を被覆し、外部側端子５７（図１参照）、および、ヘッド側端子５８の上面を露出するパターンに形成されている。
【００９８】
また、カバー絶縁層１１において、厚み方向に投影したときに、１対の第１先側ベース層２９および１対の第２先側ベース層５０と重なる部分が、カバー台座層の一例としての１対の先側スライダ接触層７８として区画されている。
【００９９】
そして、第１先側ベース層２９、第２先側ベース層５０、および、先側スライダ接触層７８から、台座の一例としての第１台座８８が形成されている。つまり、第１台座８８は、１対設けられている。１対の第１台座８８は、幅方向において、互いに間隔を隔てて配置されている。
【０１００】
また、カバー絶縁層１１において、厚み方向に投影したときに、１対の第１後側ベース層３０および１対の第２後側ベース層５１と重なる部分が、カバー台座層の一例としての１対の後側スライダ接触層７９として区画されている。
【０１０１】
そして、第１後側ベース層３０、第２後側ベース層５１、および、後側スライダ接触層７９から、台座の一例としての第２台座８９が形成されている。つまり、第２台座８９は、１対設けられている。１対の第２台座８９は、先後方向において、互いに間隔を隔てて配置されている。１対の第２台座８９は、１対の第１台座８８よりも後側であって、１対の第１台座８８の幅方向略中央に配置されている。これにより、１対の第２台座８９のいずれか一方と、１対の第１台座８８とは、それぞれを頂点とする略三角形状に配置されている。
【０１０２】
カバー絶縁層１１は、ベース絶縁層９（第１ベース絶縁層２６および第２ベース絶縁層２７）を形成する絶縁材料と同一の絶縁材料から形成されている。カバー絶縁層１１の厚みは、第１ベース絶縁層２６の厚み１００％に対して、例えば、５０％以上、好ましくは、８０％以上であり、例えば、２００％以下、好ましくは、１５０％以下である。また、カバー絶縁層１１の厚みは、第２ベース絶縁層２７の厚み１００％に対して、例えば、１０％以上、好ましくは、３０％以上であり、例えば、１００％以下、好ましくは、７０％以下である。カバー絶縁層１１の厚みは、具体的には、例えば、１μｍ以上、好ましくは、３μｍ以上であり、例えば、４０μｍ以下、好ましくは、１０μｍ以下である。
【０１０３】
めっき層１２は、複数の端子、具体的には、外部側端子５７、ヘッド側端子５８、ピエゾ側端子５９の表面に形成されている。めっき層１２は、例えば、無電解めっき、電解めっきなどのめっき、好ましくは、電解めっきによって形成される。めっき層１２は、例えば、ニッケル、金などの金属材料から形成されて、好ましくは、金から形成されている。
めっき層１２の厚みは、導体層１０の厚み１００％に対して、例えば、５％以上、好ましくは、１０％以上であり、例えば、１００％以下、好ましくは、５０％以下である。めっき層１２の厚みは、具体的には、例えば、０．１μｍ以上、好ましくは、１μｍ以上であり、例えば、８μｍ以下、好ましくは、４μｍ以下である。
【０１０４】
スライダ４は、その先端にハードディスクの情報を読み書き可能な磁気ヘッド３が搭載されており、平面視略矩形箱形状に形成されている。なお、磁気ヘッド３の先端には、複数のヘッド側端子５８に対応して、複数（４つ）のヘッド端子６５が設けられている。
【０１０５】
ヘッド端子６５は、磁気ヘッド３の前端面に配置され、磁気ヘッド３の下端部よりも上側に位置し、厚み方向に長さを有し、先側に臨むように設けられている。
【０１０６】
スライダ４は、１対の第１台座８８および１対の第２台座８９に接着剤などを介して、載置されており、ヘッド端子６５がヘッド側端子５８の上面に臨むように、ヘッド側端子５８の上側に微小間隔を隔てて配置されている。
【０１０７】
そして、ヘッド側端子５８の上面には、ヘッド接合材６６が設けられている。
【０１０８】
ヘッド接合材６６は、例えば、はんだや、導電性接着剤などの導電性材料から形成されている。好ましくは、低融点のはんだから形成されている。この低融点のはんだとしては、例えば、錫、銀、銅の合金からなるはんだ、錫、銀、ビスマス、インジウムの合金からなるはんだ、錫、亜鉛の合金からなるはんだ、錫、ビスマスの合金からなるはんだ、錫、ビスマス、銀の合金からなるはんだなどが挙げられる。低融点のはんだの融点は、好ましくは２２０℃以下である。また、導電性接着剤としては、例えば、銀ペーストなどが挙げられる。
【０１０９】
ヘッド接合材６６は、ヘッド側端子５８と、磁気ヘッド３のヘッド端子６５とを電気的に接続している。
【０１１０】
このように、端子領域６２において、第１ベース絶縁層２６の第１端子領域絶縁層２８と、第２ベース絶縁層２７の第２端子領域絶縁層５４とが形成されていることにより、ヘッド側端子５８を、スライダ４が搭載する磁気ヘッド３のヘッド端子６５に対して近接させている。
【０１１１】
ピエゾ素子５は、先後方向に伸縮可能なアクチュエータであって、先後方向に延びる平面視略矩形状に形成されている。ピエゾ素子５は、電力が供給され、その電圧が制御されることによって、伸縮する。なお、ピエゾ素子５の上部における前側および後側のそれぞれには、ピエゾ端子６７が設けられている。ピエゾ素子５は、図２および図３Ａに示すように、幅方向に間隔を隔てて１対配置されている。このとき、ピエゾ素子５は、後ピエゾ側端子５９Ａ、および、前ピエゾ側端子５９Ｂを回路付サスペンション基板１に対して下側から架設し、ピエゾ側端子５９の下面に対して、ピエゾ端子６７が臨むように配置されている。
【０１１２】
そして、ピエゾ側端子５９の上面には、ピエゾ接合材６８が設けられている。ピエゾ接合材６８は、例えば、ヘッド接合材６６を形成する導電性材料と同一の導電性材料から形成されている。
【０１１３】
ピエゾ接合材６８は、ピエゾ側端子５９と、ピエゾ素子５のピエゾ端子６７とを電気的に接続している。
【０１１４】
次に、回路付サスペンション基板１の製造方法について、図４Ａ〜図６Ｉを参照して説明する。
【０１１５】
この方法では、図４Ａに示すように、まず、金属支持基板８を用意する。
【０１１６】
次いで、図４Ｂに示すように、第１ベース絶縁層２６を金属支持基板８の上に形成する。
【０１１７】
具体的には、第１ベース絶縁層２６を、第１端子領域絶縁層２８、１対の第１先側ベース層２９（図３Ａ参照）、および、１対の第１後側ベース層３０に対応するパターンとして、金属支持基板８の上に形成する。
【０１１８】
第１端子領域絶縁層２８、１対の第１先側ベース層２９（図３Ａ参照）、および、１対の第１後側ベース層３０を備える第１ベース絶縁層２６を形成するには、感光性の絶縁材料のワニスを金属支持基板８の上に塗布して乾燥させて、ベース皮膜を形成する。
【０１１９】
その後、ベース皮膜を、図示しないフォトマスクを介して露光する。フォトマスクは、遮光部分および光全透過部分をパターンで備えており、第１ベース絶縁層２６を形成する部分には光全透過部分を、第１ベース絶縁層２６を形成しない部分には遮光部分を、ベース皮膜に対して対向配置し、露光する。
【０１２０】
その後、ベース皮膜を現像し、必要により加熱硬化させることにより、第１端子領域絶縁層２８、１対の第１先側ベース層２９（図３Ａ参照）、および、１対の第１後側ベース層３０を備えるベース絶縁層９を、上記したパターンで形成する。
【０１２１】
次いで、図４Ｃに示すように、第２ベース絶縁層２７を、第１ベース絶縁層２６を被覆するように、金属支持基板８の上に形成する。
【０１２２】
具体的には、第２ベース絶縁層２７を、本体部絶縁層３１（図１参照）、および、ジンバル部絶縁層３２に対応するパターンとして、金属支持基板８の上に形成する。ジンバル部絶縁層３２においては、第２端子領域絶縁層５４と、第２周辺領域絶縁層５５と、１対の第２先側ベース層５０（図３Ａ参照）と、１対の第２後側ベース層５１と、接続端子開口部４５とを備えるパターンとして形成する。
【０１２３】
接続端子開口部４５が形成される第２ベース絶縁層２７を形成するには、感光性の絶縁材料のワニスを金属支持基板８および第１ベース絶縁層２６の上に塗布して乾燥させて、ベース皮膜を形成する。
【０１２４】
その後、ベース皮膜を、図示しないフォトマスクを介して露光する。フォトマスクは、遮光部分および光全透過部分をパターンで備えており、ベース絶縁層９（接続端子開口部４５を形成する部分を除く。）を形成する部分には光全透過部分を、ベース絶縁層９を形成しない部分、および、接続端子開口部４５を形成する部分には遮光部分を、ベース皮膜に対して対向配置し、露光する。
【０１２５】
その後、ベース皮膜を現像し、必要により加熱硬化させることにより、第２端子領域絶縁層５４、第２周辺領域絶縁層５５、１対の第２先側ベース層５０、１対の第２後側ベース層５１、および、接続端子開口部４５を備えるベース絶縁層９を、上記したパターンで形成する。
【０１２６】
次いで、図５Ｄに示すように、導体層１０を、ベース絶縁層９の上面に形成する。詳しくは、ベース絶縁層９の上面に、導体層１０をアディティブ法またはサブトラクティブ法などのパターン形成法、好ましくは、アディティブ法によって形成する。
【０１２７】
これにより、図１が参照されるように、導体層１０が、ベース絶縁層９の上面に、外部側端子５７、ヘッド側端子５８、ピエゾ側端子５９、および、配線６０を備えるように形成される。なお、ヘッド側端子５８の後側部５８Ｃは、第１端子領域絶縁層２８の上面に落ち込むように形成される。
【０１２８】
次いで、図５Ｅに示すように、カバー絶縁層１１を、第２ベース絶縁層２７の上に、１対の先側スライダ接触層７８（図３Ａ参照）、および、１対の後側スライダ接触層７９を備えるパターンとして形成する。１対の先側スライダ接触層７８（図３Ａ参照）、および１対の後側スライダ接触層７９を備えるカバー絶縁層１１を形成するには、第２ベース絶縁層２７および導体層１０の上に、感光性の絶縁材料のワニスを塗布して乾燥させて、カバー皮膜を形成した後、カバー皮膜を露光し、続いて、現像して、加熱硬化することにより、上記したパターンで形成する。
【０１２９】
これにより、図３Ａが参照されるように、１対の先側スライダ接触層７８は、対応する第２ベース絶縁層２７の１対の第２先側ベース層５０、および、第１ベース絶縁層２６の１対の第１先側ベース層２９とともに、第１台座８８を構成する。
【０１３０】
また、図５Ｅに示すように、１対の後側スライダ接触層７９は、対応する第２ベース絶縁層２７の１対の第２後側ベース層５１、および、第１ベース絶縁層２６の１対の第１後側ベース層３０とともに、第２台座８９を構成する。
【０１３１】
次いで、図５Ｆに示すように、金属支持基板８を、例えば、エッチングなどによって、基板開口部１６（図１および図２参照）、および、ステージ開口部２５が形成されるように、外形加工する。
【０１３２】
これにより、ステージ開口部２５から、第１端子領域絶縁層２８の後端部の下面が露出される。
【０１３３】
次いで、図６Ｇに示すように、ベース絶縁層９において、ステージ開口部２５から露出する第１端子領域絶縁層２８の後端部を除去する。具体的には、エッチング、好ましくは、ウェットエッチングなどによって、除去する。
【０１３４】
これにより、第２端子領域絶縁層５４の後端部の下面が露出されるとともに、ヘッド側端子５８の後側部５８Ｃの下面が露出される。
【０１３５】
次いで、図６Ｈに示すように、複数の端子、具体的には、外部側端子５７、ヘッド側端子５８、ピエゾ側端子５９の表面に、めっき層１２を形成する。
【０１３６】
具体的には、無電解めっき、電解めっきなどのめっき、好ましくは、電解めっきによって、めっき層１２を形成する。
【０１３７】
これにより、回路付サスペンション基板１が完成する。
【０１３８】
次いで、図６Ｉに示すように、回路付サスペンション基板１に対して、磁気ヘッド３が搭載されたスライダ４を接続するときには、まず、ヘッド側端子５８（めっき層１２）の上にヘッド接合材６６を形成する。具体的には、上記した導電性材料を公知の印刷機による印刷、または、ディスペンサーで塗布することで、ヘッド接合材６６を形成する。
【０１３９】
次いで、磁気ヘッド３が搭載されたスライダ４を、１対の第１台座８８（図２および図３Ａ参照）、および、１対の第２台座８９によって支持され、ヘッド端子６５がヘッド側端子５８の上側に位置するように、回路付サスペンション基板１に対して上側に配置する。
【０１４０】
そして、ヘッド接合材６６を、レーザー（Ｘｅランプレーザー）照射、または、はんだごてなどの加熱方法によって、その溶融温度以上に加熱する。好ましくは、ヘッド接合材６６を、レーザー照射により加熱する。
【０１４１】
これにより、図３Ａおよび図３Ｂに示すように、ヘッド接合材６６が溶融されて流動し、ヘッド側端子５８と、磁気ヘッド３のヘッド端子６５とが電気的に接続される。
【０１４２】
このとき、ヘッド接合材６６がフィレットを形成することで、ヘッド端子６５の上端部まで、確実にヘッド接合材６６を配置することができ、ヘッド側端子５８とヘッド端子６５とを確実に電気的に接続させることができる。
【０１４３】
また、図３Ａに示すように、回路付サスペンション基板１に対して、ピエゾ素子５を接続するときには、まず、ピエゾ側端子５９の下にピエゾ接合材６８を形成する。具体的には、上記した導電性材料を、公知の印刷機による印刷、または、ディスペンサーで塗布することで、ピエゾ接合材６８を形成する。
【０１４４】
そして、１対のピエゾ素子５を、ピエゾ端子６７が対応するピエゾ側端子５９の下側に位置するように、回路付サスペンション基板１に対して下側に配置する。
【０１４５】
次いで、ピエゾ素子５が配置された回路付サスペンション基板１のジンバル部１４をリフロー炉内に入れて加熱し、ピエゾ接合材６８をリフローする。
【０１４６】
リフロー温度は、ピエゾ接合材６８が溶融する温度以上、例えば、１００℃以上、好ましくは、１３０℃以上であり、例えば、３５０℃以下、好ましくは、３００℃以下である。
【０１４７】
また、リフロー時間は、例えば、５秒以上、好ましくは、１０秒以上であり、例えば、５００秒以下、好ましくは、３００秒以下である。
【０１４８】
これにより、ピエゾ接合材６８は、溶融することにより流動し、ピエゾ側端子５９と、ピエゾ素子５のピエゾ端子６７とを接着する。
【０１４９】
ピエゾ素子５は、ピエゾ側端子５９を介して電源７から電力が供給され、その電圧が制御されることによって、先後方向に伸縮する。ピエゾ素子５が伸縮することにより、スライダ４の位置を微調整することができる。
【０１５０】
この回路付サスペンション基板１によれば、図３Ａおよび図３Ｂに示すように、端子領域６２の厚みが、周辺領域６３の厚みよりも厚いので、厚み方向において、ヘッド側端子５８をスライダ４の磁気ヘッド３のヘッド端子６５に対して近接させることができる。
【０１５１】
そのため、ヘッド側端子５８とヘッド端子６５とを確実に接続させることができる。
【０１５２】
一方、周辺領域６３の厚みは、端子領域６２の厚みよりも薄いので、回路付サスペンション基板１の軽量薄型化を図ることができる。
【０１５３】
この回路付サスペンション基板１によれば、図３Ａおよび図３Ｂに示すように、周辺領域６３が、第２ベース絶縁層２７からなる第２周辺領域絶縁層５５を備えているのに対し、端子領域６２が、第１ベース絶縁層２６からなる第１端子領域絶縁層２８と、第２ベース絶縁層２７からなる第２端子領域絶縁層５４を備えている。
【０１５４】
そのため、端子領域６２を、１層のベース絶縁層９から形成する場合と比較して、端子領域６２の厚みを２層、すなわち、第１端子領域絶縁層２８および第２端子領域絶縁層５４から形成することで、周辺領域６３の厚みよりも容易に厚くすることができる。
【０１５５】
その結果、ヘッド側端子５８をスライダ４の端子に対して近接させることができるので、ヘッド側端子５８とスライダ４の磁気ヘッド３のヘッド端子６５とを、より確実に接続させることができる。
【０１５６】
この回路付サスペンション基板１によれば、図３Ａおよび図３Ｂに示すように、１対の第１先側ベース層２９および１対の第１後側ベース層３０が第１ベース絶縁層２６からなり、１対の第２先側ベース層５０および１対の第２後側ベース層５１が第２ベース絶縁層２７からなり、１対の先側スライダ接触層７８および１対の後側スライダ接触層７９がカバー絶縁層１１からなるので、スライダ４を支持するための部材を別途設けることなく、配線６０を被覆するようにして、１対の第１台座８８および１対の第２台座８９を形成することができる。
【０１５７】
この回路付サスペンション基板１の製造方法によれば、図３Ａおよび図３Ｂに示すように、端子領域６２の厚みが、周辺領域６３の厚みよりも厚く、厚み方向において、ヘッド側端子５８をスライダ４の端子に対して近接させることのできる回路付サスペンション基板１を製造することができる。
【０１５８】
また、図４Ｃに示すように、第２端子領域絶縁層５４および第２周辺領域絶縁層５５を形成する工程において、１対の第２先側ベース層５０、および、１対の第２後側ベース層５１を同時に形成することができる。
【０１５９】
そのため、ヘッド側端子５８をスライダ４の端子に確実に近接させることができながら、別途工程を増やすことなく、効率よく１対の第１台座８８および１対の第２台座８９を形成することができる。
【０１６０】
＜第２実施形態＞
次いで、図７Ａおよび図７Ｂを参照して、本発明の第２実施形態の回路付サスペンション基板１について説明する。なお、第２実施形態において、上記した第１実施形態と同様の部材には同様の符号を付し、その説明を省略する。
【０１６１】
上記した第１実施形態では、第１ベース絶縁層２６が、第１端子領域絶縁層２８、１対の第１先側ベース層２９、１対の第１後側ベース層３０のみを備え、第２ベース絶縁層２７が、本体部１３に対応する本体部絶縁層３１と、ジンバル部１４に対応するジンバル部絶縁層３２とを備えている。
【０１６２】
対して、第２実施形態では、第１ベース絶縁層２６が、本体部１３に対応する本体部絶縁層３１と、ジンバル部１４に対応するジンバル部絶縁層３２とを備え、第２ベース絶縁層２７が、第２周辺領域絶縁層５５を備えず、第２端子領域絶縁層５４、１対の第２先側ベース層５０、および、１対の第２後側ベース層５１のみを備えている。
【０１６３】
そして、第１ベース絶縁層２６のステージ絶縁層３９において、第２端子領域絶縁層５４と重なる部分が、第１端子領域絶縁層２８として区画されている。言い換えると、第２端子領域絶縁層５４は、第１端子領域絶縁層２８の上に配置されている。また、第１ベース絶縁層２６において、第１端子領域絶縁層２８以外の部分が、第１周辺領域絶縁層９５として区画されている。
【０１６４】
なお、ベース絶縁層９において、第１端子領域絶縁層２８および第２端子領域絶縁層５４が形成される領域が、端子領域６２として区画され、厚み方向に投影したときに、端子領域６２と重ならない領域であり、ベース絶縁層９における端子領域６２以外のすべての領域（第１周辺領域絶縁層９５が形成される領域）が、周辺領域６３として区画されている。
【０１６５】
このような回路付サスペンション基板１を製造するには、上記した第１実施形態の第１ベース絶縁層２６を金属支持基板８の上に形成する工程において、第２実施形態では、第１ベース絶縁層２６を、本体部絶縁層３１（図１参照）、および、ジンバル部絶縁層３２に対応するパターンとして、金属支持基板８の上に形成する。ジンバル部絶縁層３２においては、第１端子領域絶縁層２８と、第１周辺領域絶縁層９５と、１対の第１先側ベース層２９と、１対の第１後側ベース層３０と、接続端子開口部４５とを備えるパターンとして形成する。
【０１６６】
また、上記した第１実施形態の第２ベース絶縁層２７を、第１ベース絶縁層２６を被覆するように、金属支持基板８の上に形成する工程において、第２実施形態では、第２ベース絶縁層２７を、第２端子領域絶縁層５４と、１対の第２先側ベース層５０と、１対の第２後側ベース層５１とを備えるパターンとして、第１ベース絶縁層２６の上に形成する。
【０１６７】
上記した工程以外は、第１実施形態と同様の製造方法により、回路付サスペンション基板１を製造する。
【０１６８】
以上により、第２実施形態の回路付サスペンション基板１が完成する。
【０１６９】
この回路付サスペンション基板１によれば、図７Ａおよび図７Ｂに示すように、周辺領域６３が、第１ベース絶縁層２６からなる第１周辺領域絶縁層９５を備えているのに対し、端子領域６２が、第１ベース絶縁層２６からなる第１端子領域絶縁層２８と、第２ベース絶縁層２７からなる第２端子領域絶縁層５４とを備えている。
【０１７０】
そのため、端子領域６２を、１層のベース絶縁層９から形成する場合と比較して、端子領域６２の厚みを２層、すなわち、第１端子領域絶縁層２８および第２端子領域絶縁層５４から形成することで、周辺領域６３の厚みよりも容易に厚くすることができる。
【０１７１】
その結果、ヘッド側端子５８をスライダ４の磁気ヘッド３のヘッド端子６５に対して近接させることができるのでヘッド側端子５８とヘッド端子６５とを、より確実に接続させることができる。
【０１７２】
この回路付サスペンション基板１によれば、図７Ａおよび図７Ｂに示すように、１対の第１先側ベース層２９および１対の第１後側ベース層３０が第１ベース絶縁層２６からなり、１対の第２先側ベース層５０および１対の第２後側ベース層５１が第２ベース絶縁層２７からなり、１対の先側スライダ接触層７８および１対の後側スライダ接触層７９がカバー絶縁層１１からなるので、スライダ４を支持するための部材を別途設けることなく、配線６０を被覆するようにして、１対の第１台座８８および１対の第２台座８９を形成することができる。
【０１７３】
この回路付サスペンション基板１の製造方法によれば、図７Ａおよび図７Ｂに示すように、端子領域６２の厚みが、周辺領域６３の厚みよりも厚く、厚み方向において、ヘッド側端子５８をスライダ４の端子に対して近接させることのできる回路付サスペンション基板１を製造することができる。
【０１７４】
また、第１端子領域絶縁層２８および第１周辺領域絶縁層９５を形成する工程において、１対の第１先側ベース層２９、および、１対の第１後側ベース層３０を同時に形成することができる。
【０１７５】
そのため、ヘッド側端子５８をスライダ４の端子に確実に近接させることができながら、別途工程を増やすことなく、効率よく台座を形成することができる。
【０１７６】
＜変形例＞
上記した第１実施形態および第２実施形態では、回路付サスペンション基板１は、スライダ４を支持するための第１台座８８および第２台座８９を備えているが、第１台座８８および第２台座８９を備えず、接着剤層などにより、スライダ４が支持されていてもよい。
【０１７７】
このような変形例においても、第１実施形態および第２実施形態と同様の作用効果を得ることができる。
【符号の説明】
【０１７８】
１      回路付サスペンション基板
４      スライダ
８      金属支持基板
９      ベース絶縁層
１０    導体層
１１    カバー絶縁層
２６    第１ベース絶縁層
２７    第２ベース絶縁層
２８    第１端子領域絶縁層
２９    第１先側ベース層
３０    第１後側ベース層
５０    第２先側ベース層
５１    第２後側ベース層
５４    第２端子領域絶縁層
５５    第２周辺領域絶縁層
５８    ヘッド側端子
６２    端子領域
６３    周辺領域
７８    先側スライダ接触層
７９    後側スライダ接触層
８８    第１台座
８９    第２台座
９５    第１周辺領域絶縁層
【図１】
2020061202.tif 000003
【図２】
2020061202.tif 000004
【図３】
2020061202.tif 000005
【図４】
2020061202.tif 000006
【図５】
2020061202.tif 000007
【図６】
2020061202.tif 000008
【図７】
2020061202.tif 000009